(57)【特許請求の範囲】
【請求項１】
管状工作物（２４）のため軸方向に移動可能な締付具（２６）と協働するための急速据付および解放作動装置（１０）であって：
前記軸方向に移動可能な締付具（２６）を受け入れるために配置された固設部材（１２）と；
前記固設部材及びその内部の締付具に関して前方および後方へ回動運動するため回動装着される推力部材運搬具（３８）であって、それにより、その運搬具が、前方および後方へそれぞれ回動運動する少なくとも一部の間に、その推力部材運搬具が前記固設部材及び前記締付具に近づきまたそれから遠ざかる前記推力部材運搬具（３８）と；
前記推力部材運搬具から離間してその運搬具に装着される少なくとも１個の推力部材（４２）であって、そしてその推力部材が、前記運搬具の前方および後方への回動運動に当たって、前記固設部材に向うように、またそれから離れるように前記運搬具とともに移動可能であり、前記推力部材が前記運搬具に関して相対的に移動可能であるように装着される前記推力部材（４２）と；また、
前記推力部材運搬具を前方回動位置で固着するため、且つ前記前方回動位置で前記固設部材から離れようとする前記運搬具の回動運動を防止するための固定装置（５０、５８）とからなる急速据付および解放作動装置（１０）。
【請求項２】
前記固定装置が、前記固設部材に向って回動する前記運搬具を明確に駆動させるための推力作動装置（５２）を具備する請求項１に記載の急速据付および解放作動装置。
【請求項３】
推力作動装置（５２）が、カムを操作するレバーと、そのカムと協働する推力反動部材（５２）とであり、前記カムが、前記固設部材（１２）または前記運搬具（３８）のうちの１つに連接され、前記推力反動部材（５２）が、前記固設部材および前記運搬具のうちのその他に接して係合可能である請求項２に記載の急速据付および解放作動装置。
【請求項４】
前記固定装置が、前記推力部材の１側面に向かって配置され、前記運搬具（３８）が、運搬具の回動運動軸を画定する運搬具回動連接部（４０）で回動装着され、前記運搬具回動連接部が、前記固定装置が配置されている側面の反対側の前記推力部材の側面に向うように、且つ前記推力部材から離隔するように配置される請求項１に記載の急速据付および解放作動装置。
【請求項５】
前記運搬具回動連接部（４０）が、運搬具を固設部材に回動連接する請求項４に記載の急速据付および解放作動装置。
【請求項６】
前記固定装置が、固設部材に向って回動する運搬具を明確に駆動させるための推力作動装置（５０、５２）を具備する請求項４に記載の急速据付および解放作動装置。
【請求項７】
推力作動装置が、カムを操作するレバーと、推力伝達螺刻棒（１３）でカムに連接される推力反動部材（５２）とであり、前記カムが、固設部材または運搬具（１２、３８）のうちの１つに連接され、前記推力反動部材が、固設部材および運搬具のうちのその他に接して係合可能であり、また前記推力伝達棒が、カムと推力反動部材との間に延在する請求項４に記載の急速据付および解放作動装置。
【請求項８】
前記推力部材（４２）が、工作物受容孔を具備し、また前記推力部材が運搬具に回動連接され；またさらに、前記推力部材の回動運動軸を画定する推力部材回動連接部（４８）を具備し、前記推力部材の回動運動軸が、前記運搬具回動連接部を含む面と同一平面（４９）に在る請求項４に記載の急速据付および解放作動装置。
【請求項９】
前記運搬具回動連接部がさらに、前記運搬具の回動運動軸を画定し、且つ推力部材の前記回動運動軸が、運搬具の回動運動軸に平行に延在する請求項８に記載の急速据付および解放作動装置。
【請求項１０】
前記固定装置が、固設部材に向って回動する運搬具を明確に駆動させるための推力作動装置（５０、５２）を具備する請求項９に記載の急速据付および解放作動装置。
【請求項１１】
推力作動装置が、カムを操作するレバーと、そのカムと協働する推力反動部材（５２）とであり、前記カムが、固設部材または運搬装置のうちの１つに連接され、前記推力反動部材が、固設部材および運搬装置のうちのその他の１つに接して係合可能である請求項１０に記載の急速据付および解放作動装置。
【請求項１２】
前記運搬具をその回動装着部から解放するための急速解放機構（４０）を具備する請求項１に記載の急速据付および解放作動装置。
【請求項１３】
少なくとも１個の推力部材が、運搬具に関して回動運動するために装着される請求項１に記載の急速据付および解放作動装置。
【請求項１４】
管状工作物のため保持用締付具と協働するための急速据付および解放作動装置であって：
管状工作物と係合するための保持用締付具（７２）であって、且つ，半径方向に移動するため配置された少なくとも１個の半径方向に移動可能な分割片を具備し、それにより、支承面に関する分割片の軸運動に当たって、分割片が、隣接する工作物を締付具に関する固定された位置に係合しまた保持する保持用締付具（７２）と；
前記締付具に隣接し、相対的に固定された位置に配置される固設部材（１２、６４）と；
その固設部材に関し前方および後方へ回動運動するため運搬具回動連接部（４０、６８）に回動装着される推力部材運搬具（３８、６６）であって、それによりその運搬具が、前方および後方へそれぞれ回動運動する少なくとも１部の間に、運搬具が固設部材に近づきまたそれから遠ざかる推力部材運搬具（３８、６６）と；
推力部材運搬具から離間して且つ運搬具に装着される少なくとも１個の推力部材（４２、８５）であって、そしてその推力部材が、運搬具の前方および後方への回動運動に当たって、固設部材に向うようにまたそれから離れるように運搬具とともに移動可能であり、前記推力部材が、駆動する軸方向力を締付具に加えるように配置され、締付具の分割片を運搬具の前記前進回動位置にある工作物係合位置に向って駆動させる推力部材（４２、８５）と；
運搬具を前進回動位置に固着するため、且つ前記前進回動位置で固設部材から離れようとする運搬具の回動運動を防止するための固定装置（５０、５４、５８、７６、８０、８２）からなり；また、
前記固定装置が、前記推力部材の１側面に配置され、且つ前記運搬具回動連結部が、前記固定装置が配置されている側面の反対側の前記推力部材の側面に配置される、
急速据付および解放作動装置。
【請求項１５】
前記固定装置が、前記固設部材に向って回動する運搬具を明確に駆動させるための推力作動装置（５０、７６）を具備する請求項１４に記載の急速据付および解放作動装置。
【請求項１６】
推力作動装置が、カム（５２、７４）を操作するレバーと、カムと協働する推力反動部材（５８、８２）とであり、前記カムが、固設部材または運搬具のうちの１つに連接され、前記推力反動部材が、固設部材および運搬具のうちのその他に接して係合可能である請求項１５に記載の急速据付および解放作動装置。
【請求項１７】
前記推力部材（４２）が、前記運搬具（３８）に回動連接され；且つ運搬具に関する前記推力部材の回動運動軸を画定する推力部材回動連接部（４８）を具備し、前記推力部材の回動運動軸が、前記運搬具の回動運動軸（４０）を含む面と同一平面に在る請求項１４に記載の急速据付および解放作動装置。
【請求項１８】
前記運搬具の回動連接部の軸（４０）が、推力部材（４２）の１側面に向かうように、且つそれから離隔するように配置される請求項１７に記載の急速据付および解放作動装置。
【請求項１９】
前記推力部材（３８）が、運搬具に関する推力部材の回動運動軸を画定する推力部材回動連接部（４８）により運搬具に回動装着され、その推力部材の回動運動軸が、運搬具の回動軸と平行に延在する請求項１４に記載の急速据付および解放作動装置。
【請求項２０】
工作機械と協働する相対的に固定されたハウジングを有する工作機械（２０）を具備し、前記固設部材および締付具が前記工作機械のハウジングに固着される請求項１４に記載の急速据付および解放作動装置。
【請求項２１】
前記締付具およびハウジングが、工作物を受容するため同軸の孔（８７、９１）を具備し；推力伝達スペーサ部材（８６）が、前記コレットに隣接するハウジングのその孔の中に配置されており；前記推力部材が、前記コレットの移動可能分割片に向うようにまたそれから離れるようにハウジングのその孔の中に軸方向移動可能に配置されており、前記推力伝達スペーサ部材をコレット分割片に向うようにまたそれに接するように移動させる時、前記推力伝達スペーサ部材が、前記コレット分割片と駆動して係合し、且つ分割片を工作物固定位置に向って移動させ；前記運搬具が、工作物を受容する運搬具の孔（８４）を具備し；前記推力部材が、円い端面を有し、運搬具の孔（９１）の全く対向する両側面で間隔を置いた一対の推力要索（８５）からなる請求項１４に記載の急速据付および解放作動装置。
【発明の詳細な説明】
発明の分野
本発明は、管状工作物を工作機械またはそれに類するものに保持するため、工作物保持用締付具を締付位置に駆動するための作動装置に関する。
関係情報および一般的議論
機械加工、または切断作業を工作物に行うため設計された工作機械の締付位置に、工作物、詳しくは管状工作物を保持するため、多くの実施態様の締付具を使用することは、誰でもよく知っている。割りコレット締付具（split collet chuck）を、テーパ付き支承面またはそれに類するものとともに使用する時、コレット分割片およびそれらの支承面の相対的軸方向運動は、締付具の設計により、コレット分割片を半径方向の内側または外側へ駆動させ、コレットの中心孔を通って軸方向にまたはコレット分割片の周囲の回りに延在する管状工作物の隣接する外面または周囲を締付ける。そのようなコレットは、それらがコレット分割片とそれらの支承面との間の相対的軸運動に応じて、工作物と係合して駆動するという点で、軸方向作動と考えることができる。
そのような軸方向作動のコレット形式の締付具では、工作物を締付ける効果を出すため、軸方向運動をコレット装置に加えるというある種の手段を設けなければならない。コレットにある工作物を締付けるために、回転螺刻はめ輪（thimble），レバー、推力ナット要素およびそれらに類するものを使用することは、誰でもよく知っており、それらは、機械または手動で動かされ、軸方向推力をコレット装置に対して加える。そのようなコレットの実施態様は、例えば米国特許第489,933号-Conradson；第658,473号-Smith他；第123,197号-Pinton他；第425,224号-Hartness；第1,400,306号-Miller；第2,460,149号-Schoensiegel；第2,517,346号-Queitzsch；第2,735,689号-Madsen；および第4,319,503号-Saine他で知ることができる。
割りコレット工作物保持台は、急速据付および解放の実施態様で作動されることが非常に望ましく、その急速据付および解放の実施態様は、工作機械にある工作物を急速に固着および解放することができ、工作機械による高度の生産性を可能にする。上記で述べた幾多の従来技術の発明は、そのような急速据付および解放機構を具備している。しかしながら、それらは一般に、簡素性と、低価格と、コレットを急速に交換し異なる寸法の工作物に適応する能力とに欠けている。また、多くの従来技術のコレット作動装置は、やや複雑で比較的重い構造の実施態様を必要とし、その実施態様は、コレット駆動機構をコレット装置に対して平行に維持し、それによりコレット分割片をすべて締付位置に対し均一的に駆動し、それにより工作物の中心が、コレットの中心孔にくるように維持している。
発明の簡単な要約
本発明は、管状工作物を保持するため、軸方向に移動可能な締付具と協働するための急速据付および解放作動装置を提供する。本作動装置は、固設部材と、その固設部材に向うようにまたそれから離れるように回動可能な推力部材運搬具と；その運搬具とともに回動運動するため運搬具に装着される少なくとも１個の推力部材と；また運搬具および推力部材を前進回動位置に固定するため且つ固設部材から離れる運搬具および推力部材の回動運動を防止するための固定装置とを具備する。
１実施例の本作動装置は、割りコレット装置に隣接して装着されており、それにより、運搬具が固設部材に向って回動すると、推力部材がコレット分割片と係合し、テーパ付きコレット支承面に関してコレット分割片を前進駆動させ、コレットが、コレットの中心孔を通って延在する管状工作物のまわりを締め付けるようになる。
手動操作のレバーおよびレバーに連接するカムが、機械的拡大率を得ることができるように設けられ、運搬具を、コレット分割片と係合する推力部材とともに、その前進最終回動位置まで駆動させ、推力部材をコレットに接して固定し、コレットを工作物と締付け係合して固着する。
固設部材を、適切な方法で工作機械に固定し、または協働させるように配置し、それにより、固設部材は、作動装置の操作の間中、工作機械ハウジングに関して固定されたままである。運搬具は、急速解除ピンで回動装着され、その急速解除ピンは、運搬具を固設部材に隣接する位置から急速に移動させることができ、工作機械のコレットを急速に交換することができる。
本発明の１実施例の推力部材は、運搬具に回動装着され、それにより、推力部材は、コレットに向う運搬具の前進回動運動に当たってコレット分割片と係合するように、運搬具に関して独立して回転可能である。これにより、推力部材は、コレット分割片に関して平行な位置を維持することができ、したがって、コレットが締付位置へ作動する間中、コレット分割片すべてを均一的に駆動させる。
本発明のこの実施例では、推力部材の回動軸は、運搬具の回動軸を含む面と同一平面に置かれ、そして推力部材の回動軸は、運搬具の回動軸と平行に延在することが好ましい。
本発明のもう１つの実施例では、円いピンからなる一対の推力部材が運搬具に装着され、それにより、運搬具がその前進回動位置に向かって回動する時、一対の推力部材は、コレット装置に向かって移動させられる。本発明のこの実施例によれば、円い推力部材が、推力伝達スペーサとともに使用され、その推力伝達スペーサは、コレット孔と平行に延在する軸方向開口部に誘導される。
【図面の簡単な説明】
図１は、工具に装着される本発明の好ましい１実施例に基づき造られた急速据付および解放作動装置を持つ管端部が直角になっている可搬式工作機械の側面図である；
図２は、図１の平面図である；
図３は、図１の正面図である；
図４は、図２の線ＩＶ−ＩＶで切断した縦断面図である；
図５は、本発明に基づいて造られた急速据付および解放作動装置のもう１つの実施例を図示している；
図６は、図５に図示した急速据付および解放作動装置の実施例を開放位置で示している。
本発明の好ましい実施例の詳細な説明
図１ないし３に示すように、本発明に基づく急速据付および解放作動装置の模範的な実施例が、１０に示されており、この例によれば、その装置は、留め具１５でともに保持される部分１３および部分１４を持つ上部部分１３および下部部分１４を具備する分離した板状体からなる固設部材１２を具備する。その固設部材１２は、中心螺刻孔１６（図４参照）を具備し、その螺刻孔１６は、雄ねじ固定具１８に捩じ込まれ、その固定具１８は、管仕上げの可搬式工作機械２０の端部を形成し、その型の例が、米国特許第4,319,503号に示されている。また、固設部材１２を、単一部材としてまたは複数部材組立品の別の型として造ることができる。
工作機械２０は、カッター２２を具備し、そのカッター２２は、駆動モータ（図示せず）で回転し、通常、割りコレット２６（図４参照）により、工作機械２０のハウジングに関して締付け関係で保持される管状工作物２４の端部と係合し切断する。管状工作物２４の端部がカッタ−２２と隣接するようにコレット２６内の管状工作物２４を締付けると、ハンドル２８（図２および３参照）を操作することにより、回転駆動カッターが前進できるようになり、管状工作物２４の端部と向き合い、またはその端部を直角にする。
コレットの前進方向に内側へテーパを付けられたコレット支承面３０内で、コレット２６を軸方向に前進させて、コレット２６を管状工作物２４の周囲と係合するように、通常、作動させ、それにより、コレット２６が図４に示すように左へ前進するので、コレットの分離した両半分が内方へ縮小し、そして軸３３に沿って延在するコレット２６の中心孔３２の中に配置されている管状工作物２４の周囲と係合するようになる。コレットにかかる軸方向圧力が解放された後、適切な拡張スプリング３４およびエラストマー製のバンド３６が、コレット２６を開放するようにする。また、管状工作物２４をコレット２６について右へ軸方向に引っ込めることにより、コレットの両半分を、次の工作物を受容するための位置まで開放することができるようなる。適切な機構を設け、コレット２６が工作機械２０の末端部分１８から完全に分離されることを防止する。コレット２６が、２つの分割片として描かれているが、同時にコレットを、コレット構造の公知の原理に基づき任意の数の分割片で造ることができることを理解すべきである。
コレット２６の急速据付および解放を可能にするため、作動装置１０は、推力部材運搬具３８を具備し、その推力部材運搬具３８は、その運搬具３８がピン４０のまわりで回動可能であるように、横に延在するピン４０で、固設部材１２に関し回動運動するため回動連接され、それにより、運搬具が前方および後方へ回動運動する少なくとも一部の間、運搬具が、固設部材１２に近づいたり、またそれから離れるように後退したりする。この実施例におけるピン４０は、固設部材１２の下部部分１４に連接される。しかしながら、ピン４０を、他の位置に配置することもでき、それによりピン４０を、固設部材１２について相対的に固定して、運搬具を上述の方法で回動させることができる。
運搬具３８は、推力部材４２を末端壁すなわちコレット２６の壁４４と係合するために運搬する。運搬具３８が、コレット２６に向かって前方回動方向でコレット２６に近づくにつれて、推力部材４２の前端部４６は、コレット２６の末端壁４４と係合して、コレット２６を前進させ且つ支承面３０に沿ってコレット２６の内方への運動を生じさせ、その結果、コレットの孔３２内に配置されている工作物の周囲でコレットの分割片２６の縮小を引き起こす。
推力部材４２は、横に延在する回動ピン４８で運搬具３８に回動連設され、その回動ピン４８により、推力部材４２が、回動ピン４８を通って中心に延在する横軸のまわりで回動できる。ピン４８を通って延在する推力部材４２の回動運動軸が、運搬具３８がまわりで回動する下部回動ピン４０の中心軸を含む面と同一平面４９に在り、また好ましい本実施例によれば、推力部材４２の回動運動の横軸が、運搬具３８が回動連接されるピン４０で定められる回動軸と平行に延在することは、図４で明らかである。推力部材４２を運搬具３８に回動装着するので、運搬具３８が、末端壁４４と正確に平行でなくても、推力壁４２がコレット２６の末端壁４４とそれ自体一直線に並ぶことができ、それによりそのコレットは、コレットの締付位置に向かって均一的に軸方向に動かされる。
作動装置のレバー５０が、運搬具３８の巧妙な操作を可能にし、固設部材１２に隣接するピン４０のまわりで明確な最終回動運動を生じさせるために設けられる。レバー５０は、固設部材１２の隣接面と係合するカム５２を具備するか、またはそれに連接される。レバー５０はまた、横ピン５６で推力伝達螺刻棒すなわち部材５４に回動連接され、それにより、レバー５０が回転すると、図１で分かるように、カム５２が固設部材１２の上半分１３に接して係合され、その結果、カム５２の湾曲部のために、レバー５０を反時計回りに回転させるにつれて図１に示すように推力伝達棒５４が左の方向に引き寄せられることになる。
推力伝達レバー５４は、運搬具３８の開口部５５を通って延在し、ナット５８の形状をした推力反動材に連接され、そのナット５８は、推力伝達棒５４の螺刻部分にねじ止めされる。その推力ナット５８は、図面に示されるように、運搬具３８の上部壁面と係合し、ピン５６とナット５８との間の距離は、ナット５８を回転させることによって変更可能で、それにより、ナット５８を望ましい位置に配置し、運搬具３８の最終回動運動に当たって、下述するような方法でコレット２６を作動させる。
図１ないし３に示す実施例の操作において、ナット５８は、推力伝達棒５４で調節され、それにより、レバー５０が上に向かう位置、すなわち「コレット非締付」位置にあるレバー５０で、運搬具３８は、ピン４０まわりで反時計回りの方向に回転することができ、コレット２６を、解放位置すなわち「コレット非締付」位置に配置することができる。そのような「コレット非締付」位置において、推力部材４２は、コレット２６の末端壁４４に隣接する位置から離れるように動かされ、工作物を受容または解放するため、コレット２６の分割片を充分に開放することができる。
次に、管状工作物２４がカッター２２に関して望ましい位置に配置されるまで、管状工作物２４は、推力部材４２及びコレット２６の制御孔を通って軸方向に挿入され、それにより、カッターが前進すると、管状工作物の端部が係合され、管状工作物の末端壁の一部が除去され、それにより工作物の端部が直角または他の状態に形づくられる。
次に、レバー５０を図１に示すように反時計回りに回転させ、それにより、カム５２が、固設部材１２と係合し、そして図１で見るように、ピン５６が左に引寄せられることとなり、それにより、また推力伝達棒５４を左に引き、そしてなおその上、ナット５８により反時計回りの方向に運搬具３８の最終回動運動が生じ、推力部材５２が、コレット２６の末端壁４４に係合し、コレット２６が、その支承面３０に沿って、内側に駆動させられ、それにより、管状工作物２４の外側を締付けるようになる。レバー５０が、カム５２と固設部材１２とピン５６との間の「オーバーセンター（overcenter）」関係のために適所に残されるよう意図されており、それにより、コレット２６は前進した「コレット締付」位置に固定される。次に、管状工作物２４の端部の切断作業が、その工作物２４を解放することが望ましくなるまで、工作機械２０で行われる。その工作物の解放は、図１で見るように、レバーを時計回りに上方へ回転させることにより、簡単に行われ、それにより、運搬具３８および推力部材４２をコレット２６の末端壁４４から離れるように回転させ、それにより、コレット２６は解放され、そしてコレットが、「コレット非締付」位置まで動くことができる。
運搬具３８を、固設部材１２と隣接する位置から容易に移転させ、取り外すことを可能にするために、ピン４０を、当業界で公知の急速解放ピンの形状で作るとよい。さらに詳しくは、急速解放ピン４０を、移動止め機構（例えば、急速移動可能ボール要素）でその位置に保持し、且つピンまたはレバーを簡単に押すことで運搬具３８から容易に取り除き、移動止めが、ピンをそれが設置された孔から解放する。また、ナット５８を、棒５４から取り除くことができ、その上にさらに、運搬具３８を運搬具３８に隣接するその位置から完全に自由し、それにより次にコレット２６を、容易に取り除くことができ、希望する時に異なるコレットと入れ替えることができる、。異なるコレットを、同じ工作機械に用い、その工作機械を異なる寸法の工作物に使用することができる。典型的には、コレット２６を、運搬具３８の方向に支承面３０の大きな方の端部を通して取り除く。かくして、運搬具３８をコレット２６から離れるように急速に且つ簡単に取り除き、コレット３８を支承部材から取り除くためのどのような妨害をも排除する能力が、本発明の利点を構成する。
図示するようなこの発明の実施例は、単に例示的なものであり、また、ほぼ同じ操作方法で同じ機能を果たさせるため、また本発明のこの実施例と同じ原理を用いて、構造要素の異なった実施態様を利用できることを理解すべきである。
例えば、カム５２が固設部材１２の代わりに運搬装置３８に対して働くように、レバーおよびナット５８を反転させてもよい。また、好ましい実施例として、図示する方法と異なる方法で、固設部材１２を工作機械に固着してもよい。例えば、固設部材１２を、工作機械の工作物保持コレットと一直線に並ぶ中心孔を持つ工作機械の固定ハウジングにボルト締めすることもできる。また、推力部材４２が、コレット２６の末端壁４４と直接係合するように示されているが、コレット２６と推力部材４２との間に空間が在る時、コレット２６と推力部材４２との間にスペーサ要素を利用し、推力部材４２とコレット２６の末端壁４４との間で推力を伝達することもできる。
回動ピン４０の実施態様は、本発明の精神と範囲から離れることなく変更できることを、また理解すべきである。例えば、固設部材１２が、工作機械のハウジングの部品を構成するか、または工作機械のハウジングに統合される時、回動ピン４０は、工作機械のハウジングに配置され、固設部材１２に隣接する運搬具３８のための回動取付具を提供することもできる。また、異なる構造体を使用することにより、推力部材４２を運搬具３８に装着するための回動ピン４８を、変更することもでき、その異なる構造体も、やはり、運搬具３８に関して推力部材４２が望ましい回動運動をすることを可能にする。
図１ないし３に図示されているカム４２の形状も同様に、例示的なものであり、カムの形状を変更して、最終回動位置にある運搬具３８に力を加えることについての要望に適合させることもでき、その最終回動位置では、カム４２が軸方向駆動力を推力部材４２を通じてコレット２６に対して及ぼす。また、コレット２６の構造を、特定の必要条件に適合するように変更することもできる。例えば、ピンを工作物に対して急速に内側へ駆動させるためのカムの実施態様を、コレット２６およびその支承面のために取り替えることもでき、また、運搬具３８の回動運動の結果生じる概ね軸方向に加えられる推力で締付具を作動させることができる限り、多くの他の型の工作物保持用締付具を利用することができる。
勿論、コレット分割片が、内部支承面に沿って進むように、コレット２６を逆転することもでき、それによりコレット分割片が中空の工作物と係合するため、公知の原理に従って外側へ拡張する。また、コレット２６を作動させる軸方向推力を支承面３０に加え、同時に、コレット部分２６を工作機械ハウジングに関して固定的に保持し、コレット２６の締付作用を成し遂げることもできる。
急速据付および解放作動装置１０を、多くの工作機械ハウジングに一般的にまたは特別に装着し、運搬具３８で軸方向力を締付具に伝達することにより工作物保持用締付具が作動するので、種々の形式の締付け実施態様を利用することができる。推力伝達棒５４が、この好ましい実施例に基づいて、運搬具３８の開口部５５を通って延在すると同時に、開口部５５を、運搬具３８の中で溝形状で半径方向に外に向かって延在させ、また同じような開口部を固設部材１２にも設け、それにより、少なくとも推力伝達棒５４を、その溝を通って運搬具３８から離れるように外に向かってピン５６のまわりで回動させることができる。これにより、推力伝達棒５４およびナット５８が、運搬具３８から急速に解放され、運搬具３８をコレットから離れるように回動させ、あるいは取り除くことができる。
図５および６は、本発明に基づく急速据付および解放作動装置の別の実施例を示している。この実施例では、工作機械６０は、ハウジング６２を具備し、そのハウジングには、固設部材６４と運搬具６６とを固着させる。固設部材６４は、工作機械６０のハウジング６２に固定して固着され、それに対して運搬具６６は、回動ピン６８でハウジング６２に回動連接され、その回動ピン６８は、コレット７２を通って延在する架空軸７１に沿って位置する中心孔７０に関して横断的に延在し、そのコレット７２は、工作機械６０の中の管状工作物（図示せず）を締付けるために使用される。
運搬具６６を、運搬具６６と協働するカム７４を動かすレバーで、ピン６８のまわりで回動させる。図５に示すように、カム７４を時計回りに運搬するレバー７６が回転すると、レバー７６で運搬されるピン７８と、螺刻推力伝達棒８０と、固設部材６４に接して作用する推力反動ナット８２とにより、最終回動位置に向かってカム作用が運搬具６６に生じる。勿論、ナット８２は、螺刻棒８０にねじ込まれ、それにより、運搬具６６の最終位置について優れた調節が行われる。運搬具６６と、コレット７２の後面８３との間に間隔を取るため、推力伝達スペーサ８６が設けられ、推力部材８４とコレット７２の後面との間で推力を伝達する。推力伝達スペーサ８６は、架空軸７１に沿って延在する孔８７内で軸方向に移動可能であり、コレット７２の孔９１と概ね同心である孔８９を具備する。
図６に示すように、ハウジング６２にあるピン６８の位置によって、ナット８２が固設部材６４との接触から解放されると、運搬具６６がコレット７２の区域から離れるように回動運動をすることができ、スペーサ８６の交換およびコレット支承面８８にあるコレット７２の交換をすることができる。ナット８２を固設部材６４から自由にするため、ピン７８のまわりで推力伝達棒８０が上方への回動運動をすることができるように、溝９０が固設部材６４の上端部に設けられ、ナット８２が推力伝達棒に対して緩められた時、その溝９０により、推力伝達棒８０が、固設部材６４から離れるように、上方への旋回運動をすることができるようになる。図６では、推力伝達スペーサ８６が組立品から取り除かれている。
本発明の実施例によれば、運搬具６６は孔８４を具備し、その孔８４は、運搬具６６をコレットに向って最終回動位置へ回動させる時、コレット７２の孔９１と概ね同心である。円みがある、または円い端部を有する一対の推力部材８５が、孔８４について全く対向する両側に設けられ、またその推力部材８５は、例えば、運搬具６６に穿孔した孔の中にに推力部材８５を押し込んで取り付けられ、運搬具６６の上記の位置に固着される。推力部材８５を運搬装置６６に固着するために、任意の適当な実施態様を設けてもよい。推力部材８５は、ほぼ架空軸７１を含む横断面にあり、孔８４について全く対向する両側の関係で横に間隔をおいて配置される。したがって、運搬具６６の最終回動運動に当たって、推進部材８５の丸い先端部は、推力伝達スペーサ８６の後面９３と係合し、図５に示すように、左へ軸方向転位を生じ、したがって、コレット分割片７２をコレットの締付位置に向って、軸方向転位させる。推力部材８５の丸い先端部は、たとえ運搬具６６がその最終回動位置において推力伝達スペーサ８６の後面９３と平行でなくても、推力伝達スペーサ８６の後面９３と確実に適切な接触をする。推力部材８５の係合面および後面９３は、作動装置の使用の間中の過度の摩耗を避けるため、適度に硬くされる。
本発明の両方の実施例において、運搬具６６は、運搬具６６がコレットの孔に対して横断的に延在する横軸のまわりで、それぞれ固設部材に向うように、また各固設部材から離れるように回動装着されている。本作動装置をまた、概ね水平面で操作可能な作動レバーで、コレット孔の１側面に配置される垂直軸のまわりで回動運動をさせるため、配置できることを理解すべきである。かくして、本発明は、作動装置の運搬具についての回動軸の特定の向きに制約されないし、操作の間中、作動装置のレバーを便利に巧妙に操作できる任意の望ましい位置に、入口を配置することも可能である。図５および６に示す本発明の実施例において、ピン６８で定められる回動軸を、垂直または他の方向を向けた時、推力部材８５は、それらが孔８４の全く対向する両側面の適当な位置に置かれるように配置され、運搬具６６の最終回動運動の間中、推力部材８５は、推力伝達スペーサ８６の後面８４の全く対向する区域と係合し、推力伝達スペーサ８６を、確実に、コレット７２に向って軸方向に均一的に駆動させる。多くの他の形式の推進部材８５を、図示した実施例とおなじような方法で機能するよう設けて利用してもよい、
本明細書で説明した本発明の実施例は、単に例示のつもりであり、本発明は、下記の請求の範囲の範囲でのみ制約されるものである。
【図１】
0004278180.tif 000002
【図４】
0004278180.tif 000003
【図２】
0004278180.tif 000004
【図３】
0004278180.tif 000005
【図５】
0004278180.tif 000006
【図６】
0004278180.tif 000007